(57)【特許請求の範囲】
【請求項１】
工具の駆動源となる駆動モータと、当該駆動モータと電気的に接続されるとともに一体的に回転する整流子に摺接して設けられるブラシを収容するブラシホルダと、前記ブラシと電気的に接続される接続端子と、を収容する第１のハウジングと第２のハウジングからなる二つ割構造のハウジングを有し、前記接続端子の一端側がブラシホルダの一端面に固定され、他端側が前記ブラシホルダの側面に配置され絶縁カバーが取付けられている電動工具において、
前記第１のハウジングと第２のハウジングの結合により、前記ブラシホルダの側面と前記ハウジングの間で前記絶縁カバーを挟持する弾性体が前記ハウジングに取付けられていることを特徴とする電動工具。
【請求項２】
前記弾性体は、前記接続端子を前記ブラシホルダ側に押圧することを特徴とする請求項１に記載の電動工具。
【発明の詳細な説明】
【技術分野】
【０００１】
本願は、電動工具に関し、特に、ファストンタブ端子に発生する振動を抑制する振動抑制機構に関する。
【背景技術】
【０００２】
一般的にブラシ式電動機と称される電動工具は、外部回路と接続されるファストンタブ端子（以下、「接続端子」と称する）がピグテールを介してブラシに接続されている。この接続端子の外部回路と接続される側の一端は、ブラシホルダとハウジングとの間に突出して設けられていることが多い（例えば、特許文献１参照）。
【０００３】
特許文献１に記載の電動機は、ブラシホルダにブラシキャップを取付け、ピグテールを介してブラシに接続される接続端子の一端部が、ピグテールの周囲に配置されたブラシばねの弾性力によってブラシキャップ側に押圧されて固定されており、当該接続端子の他端部がケーシング内に突出した状態で配置されている。また、ピグテールは、半田付けによって接続端子に接続されている。
【０００４】
【特許文献１】特開昭６０−１４８３５７号公報
【発明の開示】
【発明が解決しようとする課題】
【０００５】
従来の電動工具によれば、その使用によって接続端子には振動が生じる。特にブラシが磨耗して短くなると整流子に対するブラシの押し付け力も弱まるため、当該ブラシの振動は大きくなり、その振動は接続端子に伝達される。接続端子は、一端が突出して設けられている構造上、その一端側の質量に応じて大きく振動するため、ピグテールと接続端子の接合部に焼損が生じる場合があった。
【０００６】
また、特許文献１に記載の電動機のようにピグテールと接続端子とを半田付けする場合には、組立性が悪化し、作業工程が増えるなどの問題がある。
【０００７】
そこで、本願は上記問題の解決を課題の一例としてなされたものであり、組立性を損なうことなく、容易に接続端子への振動を抑制し焼損が生じるのを防止することが可能な電動工具を提供することを目的とする。
【課題を解決するための手段】
【０００８】
上記課題を解決するために、請求項１に記載の電動工具は、工具の駆動源となる駆動モータと、当該駆動モータと電気的に接続されるとともに一体的に回転する整流子に摺接して設けられるブラシを収容するブラシホルダと、前記ブラシと電気的に接続される接続端子と、を収容する第１のハウジングと第２のハウジングからなる二つ割構造のハウジングを有し、前記接続端子の一端側がブラシホルダの一端面に固定され、他端側が前記ブラシホルダの側面に配置され絶縁カバーが取付けられている電動工具において、前記第１のハウジングと第２のハウジングの結合により、前記ブラシホルダの側面と前記ハウジングの間で前記絶縁カバーを挟持する弾性体が前記ハウジングに取付けられていることを特徴とする。
【００１０】
また、請求項２に記載の電動工具は、請求項１に記載の電動工具において、前記弾性体は、前記接続端子を前記ブラシホルダ側に押圧することを特徴とする。
【発明の効果】
【００１１】
本発明によれば、弾性体を所定の位置に設けることで当該弾性体を介して絶縁カバーをブラシホルダとハウジングの間に挟持することができるため、接続端子を容易にしっかりと固定することができる。また、弾性体を設けるだけの改良で済むため改良コストを抑えることができる。
【発明を実施するための最良の形態】
【００１２】
以下、本発明の最良の実施形態について、図１乃至図３を用いて詳細に説明する。図１はブラシホルダ周辺を示す電動工具の要部縦断面図、図２は図１のＡ−Ａ断面図、図３は、図２のＢ部分を拡大した要部縦断面図である。本実施形態は、電動ドリルなどの電動工具に用いるのに適したものである。
【００１３】
図１及び図２に示すように、電動工具は、樹脂製のハウジング２を有している。このハウジング２は、左右二つ割りの割り片２ａ、２ｂを備え、両割り片２ａ、２ｂが突き合わされ図示しない止めネジ等により結合される。
【００１４】
ハウジング２の内部には、ドリルなどの工具を回転させるための駆動装置５が収容されている。駆動装置５は、工具の駆動源となる駆動モータ本体９を備え、当該駆動モータ本体９は、ハウジング２の内部に水平状態すなわち横置きで設けられている。駆動モータ本体９は、出力軸６と、出力軸６と一体的に回転しコイルが巻装されている電機子７と、電機子７の周囲に設けられる固定子８と、を備えている。
【００１５】
出力軸６は、両端部がベアリング（図上では左側のベアリング１０のみ）で軸支され略水平方向に延びるように設けられている。一方、固定子８は、例えば、図示しないが、固定子コイルが固定子コアに巻回されて構成された部材である。そして、前記固定子８により磁界を発生させ、その中で電機子７のコイルに電流を流してフレミングの左手の法則によりコイルに回転力を生じさせ、電機子７を回転し、出力軸６を所定の方向に回転させる。
【００１６】
出力軸６には、当該出力軸６と一体的に回転し電機子７のコイルに電流を供給する環状の整流子１１が設けられており、当該整流子１１の外周面には、図２に示すように上下それぞれにブラシ１５（例えば、カーボンブラシ）が摺接して設けられている。
【００１７】
各ブラシ１５は、両端に開口を有する筒状に形成されたブラシホルダ１６に移動可能に収容されている。ブラシホルダ１６は、開口を有する一対の端面と、側面と、を有しており、このブラシホルダ１６の内部には、当該ブラシ１５を整流子１１に対して押圧させるブラシスプリング１７が設けられている。そして、ブラシスプリング１７が有する弾性力の効果によって、ブラシ１５は適切な押圧力を受けてブラシ１５と整流子１１間の通電状態が維持される。また、ブラシホルダ１６は、ハウジング２の内側に突出して設けられたリブ１８によって両側が支持された状態でハウジング２内に位置決めされる。
【００１８】
ブラシホルダ１６の一端側の端面には、弾性力を有する金属製の板体を略Ｌ字状に形成したファストンタブ端子２０が固定して取付けられており、その先端部は、ブラシホルダ１６の片側側面に沿うように当該側面及びハウジング２との間に配置される。当該ファストンタブ端子２０は、ブラシホルダ１６の端面側に配置されるファストンタブ２１と、ブラシホルダ１６の側面側に配置され当該ファストンタブ２１と接続端子を介して機械的及び電気的に接続されるファストンスリーブ２２と、を備えている。
【００１９】
ファストンタブ２１には、ブラシ１５と電気的に接続されるピグテール２５が接続される。また、ピグテール２５が接続される面と反対側のファストンタブ２１の端面には、絶縁体３２が設けられており、ブラシホルダ１６の一端側に有する開口は、当該絶縁体３２によって塞がれ、且つブラシスプリング１７の一端側が保持される。
【００２０】
一方、ファストンスリーブ２２には、バッテリなど駆動電源と接続されている外部回路のリード線（図示なし）と接続可能な端子が設けられている。また、ファストンスリーブ２２は、絶縁性を有するゴムなど弾性部材で形成したスリーブカバー３５によって覆われている。
【００２１】
ハウジング２の右側の割り片２ａの内側側面には、ファストンスリーブ２２の取付位置に対応させて凹部３７が形成されており、当該凹部３７には、ゴムなどの弾性部材からなる弾性体４０が取付けられる。そして、互いの割り片２ａ、２ｂを結合した際に、ブラシホルダ１６とハウジング２の間で、当該弾性体４０によって当該ファストンスリーブ２２がブラシホルダ１６側に押圧された状態で、スリーブカバー３５がブラシホルダ１９と弾性体４０により挟持される。よって、ファストンスリーブ２２は、自らの弾性力によって固定されるとともに、スリーブカバー３５がブラシホルダ１６とハウジング２の間で弾性体４０を介して挟持されて固定される。また、ファストンスリーブ２２及びスリーブカバー３５が固定されるため、電動工具の使用によってファストンタブ端子２０に生じる振動が抑えられ、当該振動によってファストンタブ端子２０に発生する焼損を防ぐことが可能となる。また、単に割り片２ａ、２ｂ同士を結合するだけで、スリーブカバー３５を固定することができ、組立性にも優れる。さらに、弾性体４０を所定の位置に設けるだけの改良で済むため改良コストを抑えることができる。
【００２２】
以上に説明したように、上記実施形態の電動工具は、工具の駆動源となる駆動モータ本体９と、当該駆動モータ本体９と電気的に接続されるとともに一体的に回転する整流子１１に摺接して設けられるブラシ１５を収容するブラシホルダ１６と、前記ブラシ１５と電気的に接続されるファストンタブ端子２０と、を収容するハウジング２を有し、前記ファストンタブ端子２０を構成するファストンタブ２１がブラシホルダ１６の一端面に固定され、前記ファストンタブ端子２０を構成するファストンスリーブ２２が前記ブラシホルダ１６の側面に配置され絶縁体からなるスリーブカバー３５が取付けられている電動工具において、前記ブラシホルダ１６の側面と前記ハウジング２の間で前記スリーブカバー３５を挟持する弾性体４０が設けられ、この弾性体４０は前記ハウジング２に取付けられており、且つ前記ファストンスリーブ２２を前記ブラシホルダ１６側に押圧するように構成されており、弾性体４０を所定の位置に設けることでファストンスリーブ２２及びスリーブカバー３５を容易に固定することができる。
【００２３】
なお、上記実施形態は一形態であって、この形態に限定されるものではなく、例えば、弾性体４０は、スリーブカバー３５に一体的に形成されていても構わない。また、弾性体４０は、ブラシホルダ１６に設けられていても構わない。さらに、電動ドリル以外の電動工具（例えば、インパクトドライバなど）に対しても適用可能である。
【図面の簡単な説明】
【００２４】
【図１】ブラシホルダ周辺を示す電動工具の要部縦断面図である。
【図２】図１のＡ−Ａ断面図である。
【図３】図２のＢ部分を拡大した要部縦断面図である。
【符号の説明】
【００２５】
２  ハウジング
９  駆動モータ本体
１１  整流子
１５  ブラシ
１６  ブラシホルダ
２０  ファストンタブ端子
２１  ファストンタブ
２２  ファストンスリーブ
３５  スリーブカバー
４０  弾性体
【図１】
0005143577.tif 000002
【図２】
0005143577.tif 000003
【図３】
0005143577.tif 000004